(57)【特許請求の範囲】
【請求項１】
送信器からの送信信号に組込まれる固有コード信号が受信部側に既登録されている場合に、解錠状態となって対応するシャッターカーテンの開閉制御を行うように構成される無線式電動シャッターにおいて、前記受信部は、複数の固有コード信号を登録するメモリを備え、該メモリに固有コード信号を登録するにあたり、受信部は、シャッターカーテンの開閉制御を実行する通常制御モードと固有コード信号を登録する固有コード登録モードとのモード切換えができるものとし、固有コード登録モードに切換えられている場合に、固有コード信号の入力があるか否かの判断をし、入力があったと判断した場合、該固有コード信号を仮登録し、該仮登録した以降に入力する固有コード信号が前回仮登録した固有コード信号と異なる場合、該異なる固有コード信号を仮登録し、これら仮登録した固有コード信号を本登録するための終了信号を、最後に登録操作した送信器から再度出力された信号に設定し、本登録の終了で通常制御モードに復帰するように設定してあることを特徴とする無線式電動シャッター。
【請求項２】
請求項１において、固有コード登録モードでの固有コード信号の登録は、最初に入力した固有コード信号が既登録されたものであるか否かの判断をし、既登録されたものであると判断されたものでなければ受け付けないように設定したことを特徴とする無線式電動シャッター。
【発明の詳細な説明】
【０００１】
【発明の属する技術分野】
本発明は、ビル、住宅等の建造物の開口部に建て付けられる建築用シャッターの技術分野に属するものである。
【０００２】
【従来技術】
一般に、電動モータの正逆駆動でシャッターカーテンの開閉作動をする電動シャッターの中には、開閉作動（停止作動も含む）を、電波、光波、音波等の空中伝播をする媒体を送信する携帯無線式の送信器からの制御信号を受けて行うようにしたものがある。
そしてこの場合、防犯上の問題ばかりでなく、シャッターカーテンが連装式のものであったり、隣近所に同じようなものがあった場合に、一つの送信器で他のシャッターカーテンの開閉作動がなされないよう配慮する必要がある。そこで従来、送信器に固有のコード信号を制御信号と共に送信するように設定する一方、前記固有コード信号を受信部側に登録し、該登録された固有コード信号の受信があった場合に、同時に入力した制御信号に基づくシャッターカーテンの開閉制御を行う一方、登録した固有コード信号とは異なるコード信号が入力した場合には開閉制御をしないようにしている。
ところが、一つのシャッターカーテンの開閉制御を複数の送信器できるようにしたり、一つの送信器から複数のシャッターカーテンの開閉制御ができるようにしたりする要望があり、このような場合には、受信部側において新たに固有コード信号を追加登録することになる。そしてこの様な固有コード信号の新たな登録が簡単に行われてしまうことは防犯上等の点で問題がある。
そこで従来、まず受信部側をコード登録可能モードに切り換え、このモード状態で新たな固有コード信号の登録を行うための操作をすることになるが、この操作は、既存の送信器（最初の送信器）の所用操作信号の入力により受信部側をコード登録可能モードからコード登録モードにさらに切り換え、次いで固有コード信号の登録をしたい送信器からの所用操作信号の入力があったことで受信部はこの送信器の固有コード信号を仮登録し、しかる後、前記最初に操作した送信器から所用操作信号が入力したことに基づいて前記仮登録した固有コード信号を正式に登録するように設定していた。
【０００３】
【発明が解決しようとする課題】
ところが、前記従来のものは、仮登録した固有コード信号を、最初の送信器からの所用操作信号の入力が最終的に入力したことを待って正規に登録するものである結果、例えば登録したい送信器が多数個あった場合に、どれが最初の送信器であるのか判らなくなることがあり、そうすると、最初からやり直さなければならないことになって操作性に劣るといの問題があった。
そのうえ、前記従来のものは、コード登録モードから通常制御モードへの復帰が、最後にコード登録したときから予め設定されるタイマ時間（例えば五分間）を経過してから成される設定となっており、この結果、例えば近接するシャッター同志についてそれぞれ各別の送信器を登録したい場合に、一つのシャッターについて登録作業を終了した後、前記タイマ時間が経過する前に次のシャッターについて登録作業をすると、前に登録作業したシャッターに次の登録作業をした固有コード信号が登録されてしまう惧れがあり、このため、前記タイマ時間を経過するのを待つ必要があって作業性に劣るという問題があり、これらに本発明の解決すべき課題がある。
【０００４】
【課題を解決するための手段】
本発明は、上記の如き実情に鑑みこれらの課題を解決することを目的として創作されたものであって、請求項１の発明は、送信器からの送信信号に組込まれる固有コード信号が受信部側に既登録されている場合に、解錠状態となって対応するシャッターカーテンの開閉制御を行うように構成される無線式電動シャッターにおいて、前記受信部は、複数の固有コード信号を登録するメモリを備え、該メモリに固有コード信号を登録するにあたり、受信部は、シャッターカーテンの開閉制御を実行する通常制御モードと固有コード信号を登録する固有コード登録モードとのモード切換えができるものとし、固有コード登録モードに切換えられている場合に、固有コード信号の入力があるか否かの判断をし、入力があったと判断した場合、該固有コード信号を仮登録し、該仮登録した以降に入力する固有コード信号が前回仮登録した固有コード信号と異なる場合、該異なる固有コード信号を仮登録し、これら仮登録した固有コード信号を本登録するための終了信号を、最後に登録操作した送信器から再度出力された信号に設定し、本登録の終了で通常制御モードに復帰するように設定してあることを特徴とする無線式電動シャッターである。
そして本発明は、これによって、登録の終了信号を出力するための送信器がどれだか判らなくなってしまったり、登録作業が終了しているのに更に固有コード信号が登録されてしまうような不具合を回避することができ、登録作業を円滑に行うことができる。
請求項２の発明は、請求項１において、固有コード登録モードでの固有コード信号の登録は、最初に入力した固有コード信号が既登録されたものであるか否かの判断をし、既登録されたものであると判断されたものでなければ受け付けないように設定したことを特徴とする無線式電動シャッターである。
この様にすることで、知らないうちに追加登録されてしまうことを防止できる。
【０００５】
【発明の実施の形態】
次ぎに、本発明の実施の形態について、図面に基づいて説明する。図中、１は電動シャッターのシャッターカーテンであって、該シャッターカーテン１は、電動式の開閉機２の正逆駆動による巻取り軸３の回動作動に基づき巻き取られ、巻き出されることで、開口部の開閉作動をするようになっていること等は何れも従来通りである。
【０００６】
４は開閉機２の開閉駆動制御をする駆動制御部、５は受信器６を備えた受信部、７は送信器であって、該送信器７から送信された制御信号は受信器６で受信され、該受信された制御信号が受信部５に入力するようになっている。一方、受信部５は「通常制御モード」から「固有コード登録モード」に切換えるためのモード切換えスイッチ８を備え、該モード切換えスイッチ８が「通常制御モード」である場合に、前記制御信号と共に送信器７から送信される固有コード信号が既登録されているものと一致しているかの判断をし、一致していると判断された場合に、送信された制御信号が開放、閉鎖あるいは停止信号の何れであるかを判別し、該判別した信号に対応する制御信号を駆動制御部４に出力し、これに基づいて駆動制御部４は対応する制御信号を開閉機２に出力して対応する開閉制御を実行するようになっているが、この通常制御モードの制御手順は汎用のものであるから、これ以上の詳細については省略する。
【０００７】
次ぎに、前記モード切換えスイッチ８を操作して「固有コード登録モード」に切換えた場合、受信部５は、まずタイマＴが始動する。因みに、通常制御モードから固有コード登録モードへの切換わりは、本実施の形態のようにモード切換えスイッチを用いることなく、例えば予め設定された他の制御信号の入力があった場合や操作スイッチの切換えがあった場合により、例えばメイン電源をＯＦＦからＯＮに投入して初期設定がなされた以降において自動的に切換わるように構成してもよく、この様な設定は必要において適宜実行することができる。そしてこの固有コード登録モードは、前記タイマＴが始動してから予め設定されるタイマ時間Ｔ（登録可能時間として例えば５分間に設定される）を経過すると、自動的に通常制御モードに切換わるように設定されている。さらに、前記タイマ時間Ｔ以内であっても、後述する本登録が終了すると、自動的に固有コード登録モードから通常制御モードに切換わるよう設定されているが、さらに、後述する所定の操作信号の入力以外の信号が入力した場合に、通常制御モードに自動的に切換わって対応する開閉制御を実行するように設定することもできる。
そして前記固有コード登録モードになった状態で、前記タイマ時間Ｔ以内に送信器（以降、第一送信器７ａという）から所定の操作信号（例えば、停止信号でかつ３秒以上連続した信号）の入力があったか否かが判断され、あったと判断されると、該第一送信器７ａの固有コード信号（第一固有コード信号）を仮登録する。
この固有コード登録モードにおいて、さらに前記タイマ時間Ｔを経過する前のあいだに、所定の操作信号の入力があり、これが前回仮登録された固有コード信号と同じ、つまり第一固有コード信号と同じであるか否かが判断される。そして同じであると判断された場合に、前記仮登録された第一固有コード信号を受信部５のメモリに本登録（前記仮登録された第一固有コード信号が既に登録されている場合には、これを無視するか、既登録固有コード信号を消去して新規に第一固有コード信号を本登録する、以降、同じ）し、そして通常制御モードに切換わる。
【０００８】
一方、入力した所定の操作信号が、仮登録された第一固有コード信号とは異なる場合、これを仮登録（第二固有コード信号として仮登録）する。そしてさらに所定の操作信号の入力を待つが、該入力した所定の操作信号が前回仮登録されたものと同じ（つまり第二固有コード信号）であれば、今まで仮登録した固有コード信号を本登録し、同じでなければさらに仮登録（第三固有コード信号）する。そしてこの様に、最新に入力した所定の操作信号が、前回仮登録したものと異なっている場合にはこれらの固有コード信号の仮登録を繰り返し、前回仮登録されたものと同じであれば、固有コード信号の仮登録作業が終了したものとして、今まで仮登録した各固有コード信号を受信部５のメモリに本登録して通常制御モードに復帰するように制御される設定になっている。
尚、既登録された固有コード信号の消去は、本実施の形態では、受信部５に設けた消去スイッチ９の操作により実行できる設定になっている。つまりこのものでは、消去スイッチ９を予め設定される時間（例えば３秒間）を越えてＯＮ操作すると、最初に登録された送信器７ａ以外の他の固有コード信号の全てが消去される。そしてこの最初に登録された送信器７ａの固有コード信号しか登録されていない状態で、さらに前記消去スイッチ９を予め設定される時間を越えてＯＮ操作すると、前記最初に登録されている送信器７ａの固有コード信号までが消去されて、既登録コード信号の登録が一つもない状態になるよう設定されている。
【０００９】
叙述の如く構成されたものにおいて、送信器７からの制御信号の送信に基づいてシャッターカーテン１の開閉制御を実行するものであるが、新たな送信器７を登録したい場合に、固有コード登録モードに切換え、この状態でまず選択される第一送信器７ａから所定の操作信号を出力し、次いで第二送信器７ｂ、第三送信器７ｃ、・・・と順次登録したい送信器７ｎから所定の操作信号を出力し、最後に、前回操作したと同じ送信器７ｎから所定の操作信号を出力する、つまり最後の送信器７ｎを用いて二度所定の操作信号を出力することで、今まで仮登録されている固有コード信号を本登録し、通常制御モードに復帰することになる。
【００１０】
この様に、本発明が実施された形態のものでは、送信器７の固有コード信号を登録したい場合に、従来のように最初に操作した送信器７ａを用いて所定の操作信号を入力するものではなく、最後に操作した送信器７ｎから二度続けて所定の操作信号の入力をすることでなされる結果、最初の送信器７ａがどれだか判らなくなってしまうような不具合がなく、登録の作業を円滑にできることになる。
【００１１】
さらにこのものは、本登録が終了すると固有コード登録モードから通常制御モードに自動的に復帰する構成となっているから、例えば近接するシャッター同志についてそれぞれ各別の送信機を登録したい場合に、一つのシャッターについて登録作業を終了した後に直ちに次のシャッターについて登録作業をしても、前に登録作業したシャッターに次の登録作業をした固有コード信号が登録されてしまうような不具合がなく、作業性に優れる。
【００１２】
尚、本発明は、前期実施の形態に限定されるものではないが、固有コード信号の追加登録のため最初に所定の操作信号を出力する第一送信器７ａについては、固有コード信号が既登録されたものでなければ受け付けないようにすることができ、その場合の制御手順としては図３に示すフローチャート図のように設定すればよく、この様にすることで、知らないうちに追加登録されてしまうことを防止できる。
【図面の簡単な説明】
【図１】電動シャッターの概略正面図である。
【図２】固有コード登録の制御手順を示すフローチャート図である。
【図３】他の実施の形態における固有コード登録の制御手順を示すフローチャート図である。
【符号の説明】
１    シャッターカーテン
５    受信部
７    送信器
【図１】
0003603156.tif 000002
【図２】
0003603156.tif 000003
【図３】
0003603156.tif 000004